(57)【特許請求の範囲】
【請求項１】
上側ケースと下側ケースとからなるケース内に表示器を収納するとともに、前記下側ケースの外周面に沿ってアンダーカバーを覆ってなる計器装置において、前記ケースに取付固定され、前記アンダーカバーに設けられた切り欠き開口部からその一部分が突出して設けられる金属製の取付ステー部材と、前記ケースの内部側から外部側へと引き出されるとともに、前記取付ステー部材の（背面）表面側に沿って引き回し配置され、前記アンダーカバーに設けられた前記切り欠き開口部から引き出される配線コードと、前記ケースには、前記配線コードの引き出し方向に配置され、前記配線コードを前記取付ステー部材のエッジ部と非接触状態に保つために設けられた保護壁部と、を有し、前記保護壁部は、前記取付ステー部材の板厚寸法よりも高い寸法に突出してなることを特徴とする計器装置。
【請求項２】
前記保護壁部は、前記取付ステー部材のエッジ部と隣接した位置に配置してなることを特徴とする請求項１に記載の計器装置。
【請求項３】
前記ケースには、前記配線コードの引き出し位置と前記保護壁部との間に前記ケースの内部と外部とを連通する通気孔部を設けてなることを特徴とする請求項１または請求項２に記載の計器装置。
【請求項４】
前記通気孔部は、筒状部と、その筒状部の内側に設けられ、内気と外気とを連通する迷路状の孔部とからなり、前記筒状部は、前記保護壁部の高さよりも低くなるように設けてなることを特徴とする請求項３に記載の計器装置。
【発明の詳細な説明】
【技術分野】
【０００１】
本発明は、例えばオートバイ、建設機械、農耕機械、船舶、雪上バイク、水上バイク等に搭載される計器装置に関するものである。
【背景技術】
【０００２】
この種の計器装置にあっては、例えば上側ケースと下側ケースとからなるケースの内部に、指針による指示を行う速度計や燃料計や温度計などの各種の指針によるアナログ式の表示器や液晶表示装置（液晶表示素子）からなる表示器などを収納固定するとともに、各表示器を駆動するための回路基板をケース内に収納固定して構成している。
【０００３】
また、例えば車両であるオートバイなどの電源側と計器装置側とを電気的に接続するために、前記回路基板に設けられたコネクタと対向する下側ケースに開口部が設けられ、この開口部を介して前記コネクタと電源側と電気的に接続する外部接続用コネクタが設けられ、この外部接続用コネクタに接続された配線部材である配線コードなどを介して下ケースに設けた開口部を通じてケースの内部側から外部側へと引き出し形成している。（特許文献１参照）
【０００４】
また、計器装置には取付ステーが設けられ、オートバイなどの車体側に取付ステーを介して計器装置を組み付けるようにしている。
【０００５】
また前述したオートバイや建設機械，農耕機械，船舶など外気に晒されやすい計器装置にあっては、例えば上側ケースに設けられた透視パネルの曇り現象を抑えるための手段として、上側ケースと下側ケースによって構成される収納空間内と外気側とを連通する通気孔を下側ケースに設けように構成している。
【０００６】
また車両側へと電気的に引き回し形成される配線コードの保護を図りつつ引き回しを安定にするとともに、下側ケースに設けた通気孔の外側から直接的にケースの内部側へと塵埃や水滴などが侵入しないように下側ケースの外周面に沿わせるようにアンダーカバーによって覆うように構成している。（特許文献２など参照）
【先行技術文献】
【特許文献】
【０００７】
【特許文献１】特開２００７ー８５７８６号公報
【特許文献２】実公平４ー１１１３２号公報
【発明の概要】
【発明が解決しようとする課題】
【０００８】
ところで、計器のケースの背後側に覆われているアンダーカバーから引き出し配設される配線コードは、アンダーカバーに設けられた開口部から取付ステーとともに同一方向に引き出されており、この場合、取付ステーの表面側に沿わせるように配線コードが引き回されている。
【０００９】
この際、取付ステーのエッジ部分（取付ステーの角部）が配線コードに接触することがあり、オートバイなどのように振動雰囲気中にて搭載されている計器装置にあっては、配線コードが振動し、取付ステーのエッジ部分に擦れ合うことによって配線コードの被覆部が損傷したり、場合によっては配線コード自体が切断してしまう虞もある。
【００１０】
本発明は前述した問題点に着目し、取付ステー部材と配線コードとがケースの底部側から同一方向に引き出されている構成であっても、電気的な接続信頼性を保つことのできる計器装置を提供することを目的とする。
【課題を解決するための手段】
【００１１】
本発明は、前記目的を達成するため、上側ケースと下側ケースとからなるケース内に表示器を収納するとともに、前記下側ケースの外周面に沿ってアンダーカバーを覆ってなる計器装置において、前記下側ケースに取付固定され、前記アンダーカバーに設けられた切り欠き開口部からその一部分が突出して設けられる金属製の取付ステー部材と、
前記下側ケースの内部側から外部側へと引き出されるとともに、前記取付ステー部材に沿って引き回し配置され、前記アンダーカバーに設けられた前記切り欠き開口部から引き出される配線コードと、前記下側ケースには、前記配線コードの引き出し方向に配置され、前記配線コードを前記取付ステー部材のエッジ部と非接触状態に保つために設けられた保護壁部と、を有し、前記保護壁部は、前記取付ステー部材の板厚寸法よりも高い寸法に突出してなることを特徴とする計器装置である。
【００１２】
このように構成することにより、ケースの内部側から外部側へと引き出し案内される配線コードは、下側ケースに設けられた保護壁部に沿って引き回し配線されるため、取付ステー部材のエッジ部に接触することなくアンダーカバーに設けられた切り欠き開口部から外部側へと引き回し配線することができる。これにより配線部材である配線コードは振動などが加わったとしても電気的な引き回しを安定な状態に保つことができる。（請求項１）
【００１３】
また請求項１に記載の計器装置において、請求項２では、前記保護壁部は、前記取付ステー部材のエッジ部と隣接した位置に配置してなることを特徴とするものである。
【００１４】
このように構成することにより、取付ステー部材のエッジ部と隣接した位置に保護壁部を配設することによって配線コードを保護壁部に沿って前記エッジ部から迂回する状態にて浮き上がらせて引き回し配設することができ、鋭利なエッジ部との接触を防ぐことができる。（請求項２）
【００１７】
また請求項１または請求項２に記載の計器装置において、請求項３では、前記ケースには、前記電気コードの引き出し位置と前記保護壁部との間に前記ケースの内部と外部とを連通する通気孔部を設けてなることを特徴とするものである。
【００１８】
このように構成することにより、通気孔部は保護壁部によって回りが覆われるため、アンダーカバーなどの隙間から入ってくる水滴や埃などが直接的に通気孔部に導かれることが抑えられ、外部から水や埃が直接侵入することを未然に防ぐことができる。（請求項３）
【００１９】
また請求項３に記載の計器装置において、請求項４では、前記通気孔部は、筒状部と、その筒状部の内側に設けられ、内気と外気とを連通する迷路状の孔部とからなり、前記筒状部は、前記保護壁部の高さよりも低くなるように設けてなることを特徴とするものである。
【００２０】
このように構成することにより、筒状部と迷路状の孔部を有する通気孔部は、通気孔部の筒状部の高い高さを有する保護壁部によって覆われるため、水滴や塵埃などが最初に保護壁部に当たり、外部から水や埃が直接侵入することを未然に防ぐことができる。この際、保護壁部に加え、通気孔部は筒状部と迷路状の孔部を有してなるため、さらに水滴や塵埃などが侵入することを防ぐことができる。（請求項４）
【発明の効果】
【００２１】
本発明では、上側ケースと下側ケースとからなるケース内に表示器を収納するとともに、前記下側ケースの外周面に沿ってアンダーカバーを覆ってなる計器装置において、前記下側ケースに取付固定され、前記アンダーカバーに設けられた切り欠き開口部からその一部分が突出して設けられる金属製の取付ステー部材と、前記下側ケースの内部側から外部側へと引き出されるとともに、前記取付ステー部材に沿って引き回し配置され、前記アンダーカバーに設けられた前記切り欠き開口部から引き出される配線コードと、前記下側ケースには、前記電気コードの引き出し方向に配置され、前記配線コードを前記取付ステー部材のエッジ部と非接触状態に保つために設けられた保護壁部と、を有することを特徴とする計器装置であるため、ケースの内部側から外部側へと引き出し案内される配線コードは、下側ケースに設けられた保護壁部に沿って引き回し配線されるため、取付ステー部材のエッジ部に接触することなくアンダーカバーに設けられた切り欠き開口部から外部側へと引き回し配線することができる。これにより配線部材である配線コードは振動などが加わったとしても電気的な引き回しを安定な状態に保つことができる。
【図面の簡単な説明】
【００２２】
【図１】図１は、本発明の第１実施形態を示す計器装置の正面図である。
【図２】図２は、図１の要部を示すＡ−Ａ線断面図である。
【発明を実施するための形態】
【００２３】
以下、本発明を適用した計器装置の第１の実施形態を図１および図２に基づいて説明する。
【００２４】
同図において、本実施形態による表示装置としては、外装部材であるケース１（上側ケース１１と下側ケース１２とからなる収納空間Ｓ）内に、速度計の情報を表示する表示器である周知な指針式の計器からなるアナログ式の指示計器２が中央に設けられ、その速度計からなる指示計器２（表示器）の下部側に走行距離計（ＯＤＯ，ＴＲＩＰ）などの車両情報を表示する液晶表示素子３ａからなる表示器による指示計器３が配置されて、それぞれの表示器である指示計器２，３が上側ケース１１と下側ケース１２とからなる収納空間Ｓ内に組み付け固定されている。
【００２５】
この場合、速度計や走行距離計などの指示計器２，３は、合成樹脂製の枠状のホルダーからなるケーシング４に組み付け固定されるとともに、このケーシング４の背後側に硬質材料からなる回路基板５が組み付け固定されている。
【００２６】
また速度計からなる指示計器２は、計器本体（ムーブメント）２ａと、この計器本体２ａの前面側に表示板２ｂが取付固定され、計器本体２ａの回転軸２ｃの先端部に組み付けられた指針２ｄの指示を表示板２ｂに施した目盛や文字、数字などの指標部２ｅと対比判読するようにしている。
【００２７】
また回路基板５上には、指示計器２，３などを駆動するための駆動手段である電子部品（図示せず）が実装されるとともに、回路基板５の前面側には、表示板２ｂの指標部２ｅや液晶表示素子３ａからなる指示計器３を透過照明するための照明用の光源６（ＬＥＤ）が組み付けられている。
【００２８】
また回路基板５の背面側には、ケース１の外部側へと電気的に引き回し形成するためのコネクタＣ１が設けられている。
【００２９】
また本実施形態におけるケース１は、上側ケース１１と下側ケース１２とからなり、上側ケース１１は、表示板２ｂ上に設けられた指標部２ｅ領域と指針２ｄの指示状態を視認することが可能な透過性の合成樹脂材料からなる透視パネル１１０と、この透明な透視パネル１１０の周縁箇所に不透明な合成樹脂からなる上ケース体１１１とが成形によって一体的に形成されている。
【００３０】
下側ケース１２には、そのケース１２の底面部分に取付ボルト１２０が設けられ、この取付ボルト１２０を介して金属製の材料からなる取付ステー部材７がナット１２１などによって締め付け固定保持され、この取付ステー部材７は、例えばオートバイなどの車体側に組み付け固定される。
【００３１】
また下側ケース１２には、回路基板５背面側に実装されたコネクタＣ１箇所に対応して開口部１２２が設けられている。
【００３２】
また回路基板５の背面側に実装されたコネクタＣ１と連結される外部接続用コネクタＣ２には、オートバイの電源側であるバッテリ側と電気的に接続される配線部材である配線コード８が接続されるとともに、配線部材（配線コード８）と下側のケース１２に設けられた開口部１２２との間を水密に保ちつつ、外部接続用コネクタＣ２を被覆するための弾性部材からなる防水用コネクタカバー８ａが設けられている。本実施形態においては、配線コード８とケース１２の開口部１２２との間の防水性を保つために防水用コネクタカバー８ａと連続するように設けられた配線チューブ８ｂに配線コード８をそれぞれ挿通して構成している。
【００３３】
また、下側ケース１２には、前記透視パネル１１０の曇りを抑えるために、外気とケース１内の収納空間Ｓ内の内気とを連通する通気孔部１２３が下側ケース１２の底面箇所の所定の位置に適宜数設けられており、この通気孔部１２３は、筒状部１２３ａと、その筒状部１２３ａの内側に設けられ、内気と外気とを連通する迷路状の孔部１２３ｂとを有している。
【００３４】
さらに、下側ケース１２には、取付ステー部材７の端部側のエッジ部７ａ箇所とケース１の外部側へと引き回し配線される配線コード８とが接触することがないように、下側ケース１２の外面から一体に保護壁部１２４が突出形成されている。この場合、保護壁部１２４は、取付ステー部材７の端部側のエッジ部７ａと隣接した位置に配置されるとともに、取付ステー部材７の板厚寸法よりも高い寸法に突出して設けられており、これにより配線コード８を保護壁部１２４に沿ってエッジ部７ａから迂回する状態にて浮き上がらせて引き回し配設することができるように設けている。
【００３５】
また本実施形態においては、配線コード８の引き出し位置と保護壁部１２４との間にケース１の内部と外部とを連通する前述した通気孔部１２３の少なくとも一つを設けており、この通気孔部１２３の隣接した箇所に保護壁部１２４を設けることにより、通気孔部１２３は保護壁部１２４によって周りが覆われるように設けられている。
【００３６】
なお、風雨に晒される下側ケース１２の背後に実装される配線コード８や下側のケース１２に設けられた開口部１２２などを覆いながら車両側へと電気的に引き回し形成される配線コード８の保護を図りつつ引き回しを安定にするとともに、下側ケースに設けた通気孔部１２３の外側から直接的にケース１の内部側へと塵埃や水滴などが侵入しないように下側ケース１２の外周面に沿わせるようにアンダーカバー９によって覆うように構成している。
【００３７】
またアンダーカバー９には、切り欠き開口部９０が設けられており、この切り欠き開口部９０は、取付ステー部材７の一部を外部側へと配置することができるように、そして配線コード８を切り欠き開口部９０を介して外側へと導出しオートバイなどの車体側に沿って引き回し配設することができるように設けられている。
【００３８】
このように本実施形態によれば、上側ケース１１と下側ケース１２とからなるケース１内に指示計器２，３を収納するとともに、下側ケース１２の外周面に沿ってアンダーカバー９を覆ってなる計器装置において、下側ケース１２に取付固定され、アンダーカバー９に設けられた切り欠き開口部９０からその一部分が突出して設けられる金属製の取付ステー部材７と、下側ケース１２の内部側から外部側へと引き出されるとともに、取付ステー部材７の（背面）表面側に沿って引き回し配置され、アンダーカバー９に設けられた切り欠き開口部９０から引き出される配線コード８と、下側ケース１２には、配線コード８の引き出し方向に配置され、配線コード８を取付ステー部材７のエッジ部７ａと非接触状態に保つために設けられた保護壁部１２４と、を有することにより、ケース１の内部側から外部側へと引き出し案内される配線コード８は、下側ケース１２に設けられた保護壁部１２４に沿って引き回し配線されるため、取付ステー部材７のエッジ部７ａに接触することなくアンダーカバー９に設けられた切り欠き開口部９０から外部側へと引き回し配線することができる。これにより配線部材である配線コード８は振動などが加わったとしても電気的な引き回しを安定な状態に保つことができる。
【００３９】
この際、本実施形態にあっては、保護壁部１２４は、取付ステー部材７のエッジ部７ａと隣接した位置に配設するとともに、取付ステー部材７の板厚寸法よりも高い寸法に保護壁部１２４を突出してなることにより、配線コード８を保護壁部１２４に沿わせてエッジ部７ａから迂回する状態にて浮き上がらせて引き回し配設することができ、鋭利なエッジ部７ａとの接触を防ぐことができる。
【００４０】
また本実施形態では、ケース１には、配線コード８の引き出し位置と保護壁部１２４との間にケース１の内部と外部とを連通する通気孔部１２３を設けてなることにより、通気孔部１２３は保護壁部１２４によって回りが覆われるため、アンダーカバー９などの隙間から入ってくる水滴や埃などが直接的に通気孔部１２３に導かれることが抑えられ、外部から水や埃が直接侵入することを未然に防ぐことができる。
【００４１】
また本実施形態では、通気孔部１２３は、筒状部１２３ａと、その筒状部１２３ａの内側に設けられ、内気と外気とを連通する迷路状の孔部１２３ｂとからなり、筒状部１２３ａは、保護壁部１２４の高さよりも低くなるように設けてなることによって、筒状部１２３ａと迷路状の孔部１２３ｂを有する通気孔部１２３は、通気孔部１２３の筒状部１２３ｂより高い高さを有する保護壁部１２４によって覆われるため、水滴や塵埃などが最初に保護壁部１２４に当たり、外部から水や埃が直接侵入することを未然に防ぐことができる。この際、保護壁部１２４に加え、通気孔部１２３は筒状部と迷路状の孔部を有してなるため、さらに水滴や塵埃などが侵入することを防ぐことができる。
【００４２】
また、防塵性や防水性などを考慮するため、本実施形態においては、配線コード８とケース１２の開口部１２２との間の防水性を保つために防水用コネクタカバー８ａを設けるとともに、防水用コネクタカバー８ａと連続するように設けられた配線チューブ８ｂに配線コード８をそれぞれ挿通して構成することにより、外部からの塵埃や水滴から保護することができる。
【００４３】
なお本発明は、前記実施形態に限定されるものではなく本発明の要旨の範囲内において種々の変形実施が可能であり、例えば実施形態においては、下側ケース１２には、配線コード８を取付ステー部材７のエッジ部７ａと非接触状態に保つために設けられた保護壁部１２４を１個のみ設置していたが、取付ステー部材７の形状などに応じて２箇所以上に設けるようにしても良いものであり、その保護壁部１２４の大きさや形状なども適宜設定すればよいものであり、また迷路状の孔部１２３ｂと筒状部１２３ａを有する通気孔部１２３の形態や寸法あるいは配設位置などもケース１の大きさや形状などに応じて適宜設定すればよいものである。
【産業上の利用可能性】
【００４４】
また、前述した実施形態において詳述したように、オートバイなどの車両用の計器装置を例にして説明したが、車両用計器に限らず船舶用計器あるいは農業用機械や建設機械などの特殊車両の計器装置などにおいても適用することが可能である。
【符号の説明】
【００４５】
１    ケース
２    指示計器
２ａ    計器本体
２ｂ    表示板
２ｃ    回転軸
２ｄ    指針
２ｅ    指標部
３    指示計器
３ａ  液晶表示素子
４    ケーシング
５    回路基板
６    光源
７    取付ステー部材
７ａ    エッジ部
８    配線コード（配線部材）
８ａ    防水用コネクタカバー
８ｂ    配線チューブ
９    アンダーカバー
１１    上側ケース
１２    下側ケース
９０    切り欠き開口部
１１０    透視パネル
１１１    上ケース体
１２０    取付ボルト
１２１    ナット
１２２    開口部
１２３    通気孔部
１２３ａ    筒状部
１２３ｂ    孔部
１２４    保護壁部
Ｃ１    コネクタ
Ｃ２    外部接続用コネクタ
Ｓ    収納空間
【図１】
0005495032.tif 000002
【図２】
0005495032.tif 000003